(57)【要約】      （修正有）【課題】外部電源からの交流電力が入力される画像形成装置において、入力された交流電力の波形を判断できる技術を提供すること。【解決手段】プリンタの電源部４０では、外部電源からの電力が入力される第１の入力端子４１と整流回路４２とを接続する第１のラインＬ１上に電流センサ５５を配置し、電流センサ５５からの電流値に基づいて、整流回路４２の出力電流を平滑化する平滑コンデンサ４３１の充電に対応する電流量の大きさが第１基準量（閾値１）よりも大きいか否かを判断する。【選択図】図３
2018173527.tif 000002
【特許請求の範囲】
【請求項１】
外部電源からの交流電流を整流する整流回路と、前記整流回路によって整流された電流を平滑化するコンデンサと、を有するコンバータと、
前記外部電源と前記コンバータとを接続する第１ラインと、
前記第１ライン上に配置され、前記第１ライン上を流れる電流量に応じた信号を出力する電流センサと、
コントローラと、
を備え、
前記コントローラは、
前記電流センサからの信号に基づいて電流量を検出し、
検出された前記電流量であって前記コンデンサの充電に対応する前記電流量の大きさが第１基準量よりも大きいか否かを判断する、
ことを特徴とする画像形成装置。
【請求項２】
請求項１に記載の画像形成装置であって、
ヒータと
第１ライン上の分岐点から分岐する第２ラインであって、分岐点とヒータとを接続する第２ラインと、を備え、
コントローラは、
コンデンサの充電に対応する電流量の大きさが第１基準量よりも大きい場合、ヒータに通電せず、
コンデンサの充電に対応する電流量の大きさが第１基準量以下の場合、ヒータに通電する、
ことを特徴とする画像形成装置。
【請求項３】
請求項１に記載する画像形成装置において、
ヒータと、
前記第１ライン上の分岐点から分岐する第２ラインであって、分岐点とヒータとを接続する第２ラインと、
前記第２ラインを開閉するリレー部材と、
を備え、
前記コントローラは、
前記コンデンサの充電に対応する前記電流量の大きさが前記第１基準量よりも大きい場合、前記リレー部材に対して閉指令を出力せず、
前記コンデンサの充電に対応する前記電流量の大きさが前記第１基準量以下の場合、前記リレー部材に対して前記閉指令を出力する、
ことを特徴とする画像形成装置。
【請求項４】
請求項１に記載する画像形成装置において、
ヒータと、
前記第１ライン上の分岐点から分岐する第２ラインであって、分岐点とヒータとを接続する第２ラインと、
前記第２ライン上に配置されるスイッチング素子と、
を備え、
前記コントローラは、
前記コンデンサの充電に対応する前記電流量の大きさが前記第１基準量よりも大きい場合、前記スイッチング素子に対してオン指令を出力せず、
前記コンデンサの充電に対応する前記電流量の大きさが前記第１基準量以下の場合、前記スイッチング素子に対して前記オン指令を出力する、
ことを特徴とする画像形成装置。
【請求項５】
請求項４に記載する画像形成装置において、
前記コントローラは、
前記コンデンサの充電に対応する前記電流量の大きさが、前記第１基準量以下かつ前記第１基準量よりも小さな第２基準量よりも大きい場合、
前記コンデンサの充電に対応する前記電流量の大きさが所定量を超えるタイミングを、ゼロクロスタイミングとして検出し、
検出された前記ゼロクロスタイミングに基づいて、前記スイッチング素子を制御する、
ことを特徴とする画像形成装置。
【請求項６】
請求項５に記載する画像形成装置において、
前記コントローラは、
検出された前記電流量の大きさが、前記第２基準量以下の場合、
検出された前記電流量に基づいて、前記コンデンサの充電に対応する電流量特性を第１タイミングで検出し、
前記第１タイミングの後、検出された前記電流量に基づいて、前記電流量特性を第２タイミングで検出し、
前記第１タイミングと前記第２タイミングとの間のタイミングを、前記ゼロクロスタイミングとして検出する、
ことを特徴とする画像形成装置。
【請求項７】
請求項５または請求項６に記載する画像形成装置において、
前記第２ラインを開閉するリレー部材を備え、
前記コントローラは、
検出された前記ゼロクロスタイミングに基づいて、前記リレー部材に対して閉指令を出力するタイミングを決定する、
ことを特徴とする画像形成装置。
【請求項８】
請求項４から請求項７のいずれか１つに記載する画像形成装置において、
シートにトナー画像を形成する画像形成部と、
前記ヒータによって加熱され、前記画像形成部によってトナー画像が形成されたシートと接触する回転体と、
前記回転体の温度に応じて異なる信号を出力する温度センサと、
を備え、
前記コントローラは、
前記温度センサからの信号に基づいて、前記スイッチング素子を制御する、
ことを特徴とする画像形成装置。
【請求項９】
請求項３から請求項８のいずれか１つに記載される画像形成装置において、
前記電流センサは、前記第１ライン上であって、前記外部電源と前記分岐点との間に配置される、
ことを特徴とする画像形成装置。
【請求項１０】
請求項９に記載される画像形成装置において、
前記コントローラは、
前記ヒータに電力が供給されている場合、
前記第１基準量に、前記ヒータへの通電電流の振幅分を加える、
ことを特徴とする画像形成装置。
【請求項１１】
請求項９または請求項１０に記載される画像形成装置において、
前記コントローラは、
前記ヒータに電力が供給されている場合、
検出された前記電流量に基づいて、電流量の大きさの変化量を検出し、
検出された前記変化量が変化量基準量よりも大きい場合、前記スイッチング素子に対してオン指令を出力せず、
検出された前記変化量が変化量基準量以下の場合、前記スイッチング素子に対してオン指令を出力する、
ことを特徴とする画像形成装置。
【請求項１２】
請求項９から請求項１１のいずれか１つに記載される画像形成装置において、
前記コントローラは、
前記ヒータに電力が供給されていない場合に、
前記電流センサからの信号に基づいて、前記電流量を検出し、
検出された前記電流量であって前記コンデンサの充電に対応する前記電流量の大きさが前記第１基準量よりも大きいか否かを判断する、
ことを特徴とする画像形成装置。
【請求項１３】
請求項３から請求項８のいずれか１つに記載される画像形成装置において、
前記電流センサは、前記第１ライン上であって、前記分岐点と前記コンバータとの間に配置される、
ことを特徴とする画像形成装置。
【請求項１４】
外部電源からの交流電流を整流する整流回路と、前記整流回路によって整流された電流を平滑化するコンデンサと、を有するコンバータと、
前記外部電源と前記コンバータとを接続する第１ラインと、
前記第１ライン上に配置され、前記第１ライン上を流れる電流量に応じた信号を出力する電流センサと、
を備える画像形成装置の制御方法であって、
前記電流センサからの信号に基づいて電流量を検出する電流量検出ステップと、
検出された前記電流量であって前記コンデンサの充電に対応する前記電流量の大きさが第１基準量よりも大きいか否かを判断する電流量判断ステップと、
を含むことを特徴とする前記画像形成装置の制御方法。
【請求項１５】
外部電源からの交流電流を整流する整流回路と、前記整流回路によって整流された電流を平滑化するコンデンサと、を有するコンバータと、
前記外部電源と前記コンバータとを接続する第１ラインと、
前記第１ライン上に配置され、前記第１ライン上を流れる電流量に応じた信号を出力する電流センサと、
を備える画像形成装置に、
前記電流センサからの信号に基づいて電流量を検出する電流量検出処理と、
検出された前記電流量であって前記コンデンサの充電に対応する前記電流量の大きさが第１基準量よりも大きいか否かを判断する電流量判断処理と、
を実行させることを特徴とするプログラム。
【発明の詳細な説明】
【技術分野】
【０００１】
本発明は、画像形成装置、画像形成装置の制御方法、およびプログラムに関する。
【背景技術】
【０００２】
従来から、電子写真方式によって画像を形成する画像形成装置では、ヒータと、ヒータによって加熱される加熱ローラと、を有する定着装置を備える構成が知られている。また、トライアック等のスイッチング素子を配置して、加熱ローラの表面温度が所望の温度となるようにヒータへの通電を制御する技術も知られている。
【０００３】
画像形成装置に用いるヒータの通電制御を開示した文献としては、例えば、特許文献１がある。特許文献１では、ブリッジダイオードとフォトカプラとを有するゼロクロス検出回路を備える画像形成装置であって、ゼロクロス検出回路が交流の商用電源の電圧値のゼロクロス時にオンとなるゼロクロス検出信号を出力し、ＣＰＵがゼロクロス検出信号を用いてヒータへの通電を制御する構成が開示されている。
【先行技術文献】
【特許文献】
【０００４】
【特許文献１】特開２００４−３０３４６９号公報
【発明の概要】
【発明が解決しようとする課題】
【０００５】
画像形成装置に入力される電源電圧は、設置場所の電力事情によって異なる。例えば、電力事情が悪い地域や自家用発電機を用いる場合、必ずしも正弦波の電圧が入力されるとは限らず、矩形波の電圧が入力されることもあり得る。画像形成装置に矩形波のようなイレギュラーな波形の電圧が入力されると、画像形成装置の動作を不安定にさせる可能性がある。
【０００６】
本発明は、前記した従来の技術が有する問題点を解決するためになされたものである。すなわちその課題とするところは、外部電源からの交流電力が入力される画像形成装置において、入力された交流電力の波形に応じた判断ができる技術を提供することにある。
【課題を解決するための手段】
【０００７】
上記の問題点を解決するために、本発明の画像形成装置は、次の構成を有している。
外部電源からの交流電流を整流する整流回路と、前記整流回路によって整流された電流を平滑化するコンデンサと、を有するコンバータと、前記外部電源と前記コンバータとを接続する第１ラインと、前記第１ライン上に配置され、前記第１ライン上を流れる電流量に応じた信号を出力する電流センサと、コントローラと、を備え、前記コントローラは、前記電流センサからの信号に基づいて電流量を検出し、検出された前記電流量であって前記コンデンサの充電に対応する前記電流量の大きさが第１基準量よりも大きいか否かを判断する、ことを特徴とする。
【０００８】
コンデンサの充電に対応する電流量の大きさは、入力された交流電力の波形によって大小に違いが生じる傾向にある。本明細書に開示される画像形成装置では、コンデンサの充電に対応する電流量の大小を判断しているため、電流量に基づいて、間接的に電力波形の判断が可能になる。
【０００９】
上記装置の機能を実現するためのヒータの制御方法、およびプログラムも、新規で有用である。
【発明の効果】
【００１０】
本発明によれば、外部電源からの交流電力が入力される画像形成装置において、入力された交流電力の波形を判断できる技術が実現される。
【図面の簡単な説明】
【００１１】
【図１】実施形態１にかかるプリンタの概略構成を示す断面図である。
【図２】プリンタの電気的構成を示すブロック図である。
【図３】電源部の電気的構成を示す回路図である。
【図４】ヒータ制御に係わる制御手順を示すフローチャートである。
【図５】外部電源から入力される電流波形の判断に係わる制御手順を示すフローチャートである。
【図６】ピーク検出処理およびゼロクロス検出処理の制御手順を示すフローチャートである。
【図７】正常な外部電源において、電流センサで測定される電流値の変化とゼロクロス検出との関係を示す図面である。
【図８】ピーク検出とゼロクロス検出との関係を示す図面である。
【図９】準正常および異常な外部電源において、定着用ヒータ非通電時における電流センサで測定される電流値の変化とゼロクロス検出との関係を示す図面である。
【図１０】外部電源から入力される電流波形の判断に係わる制御手順を示すフローチャートである。
【図１１】準正常および異常な外部電源において、定着用ヒータ通電時における電流センサで測定される電流値の変化とゼロクロス検出との関係を示す図面である。
【図１２】ゼロクロス検出に係わる処理の制御手順を示すフローチャートである。
【図１３】実施形態３に係る外部電源から入力される電流波形の判断に係わる制御手順を示すフローチャートである。
【図１４】実施形態４に係るプリンタの電気的構成を示す回路図である。
【発明を実施するための形態】
【００１２】
（実施形態１）
以下、本発明に係る画像形成装置を具体化した一例としてのプリンタについて、図面に基づいて詳細に説明する。なお、以下の実施形態において図は、適宜簡略化或いは変形誇張されて描画されており、各部の寸法比および形状等は必ずしも実施例と同一ではない。本実施形態は、カラー画像の形成が可能なレーザプリンタに本発明を適用したものであるが、モノクロ画像の形成が可能なレーザプリンタに本発明を適用しても差し支えないことは、いうまでもない。
【００１３】
図１は、実施形態１にかかるプリンタの概略構成を示す断面図である。
図において、プリンタ１００は、いわゆるタンデム方式のカラーレーザプリンタである。プリンタ１００は、イエロー（Ｙ）、マゼンタ（Ｍ）、シアン（Ｃ）、ブラック（Ｋ）の色ごとのプロセス部１０Ｙ、１０Ｍ、１０Ｃ、１０Ｋを有している。そして、プロセス部１０Ｋは、感光体２と、帯電器３と、現像器４と、を有している。なお、他色のプロセス部１０Ｙ、１０Ｍ、１０Ｃも同様の構成を有している。また、プリンタ１００は、感光体２や現像器４などを駆動するためのメインモータを備えている。さらに、プリンタ１００は、各色のプロセス部１０Ｙ、１０Ｍ、１０Ｃ、１０Ｋの上部に、各色に共通の露光器６を有している。
【００１４】
露光器６は、ポリゴンミラーを回転駆動するためのポリゴンモータおよびポリゴンモータを制御するためのモータ駆動部などを含んでいる。
【００１５】
さらに、プリンタ１００は、転写ベルト７と、熱定着器８と、給紙トレイ９１と、排紙トレイ９２とを有している。さらに、熱定着器８は、上側の加熱ローラ８１と、その加熱ローラ８１内に配置された定着用ヒータ８２と、加熱ローラ８１の近くに配置された、例えばサーミスタ素子からなる温度センサ８３と、加熱ローラ８１の下側に配置された加圧ローラ８４と、加熱ローラ８１を駆動する駆動モータとを備える。そして加熱ローラ８１は、定着用ヒータ８２によって所定温度まで加熱され、加熱ローラ８１の表面温度は、温度センサ８３によって検出される。なお、加熱ローラ８１が本発明の回転体に相当し、また、定着用ヒータ８２が本発明のヒータの一例である。
【００１６】
次に、プリンタ１００の全体の動作について簡単に説明する。
プリンタ１００は、例えば、ネットワークを介してパソコン等の上位装置（図示せず）に接続されている。また、プリンタ１００は、上位機器からの印字データを受信してそれに基づき画像形成する印刷モード、画像形成をしていない状態においてプリンタ１００の状況に応じて適宜設定されるスリープモードおよび待機モードなど複数のモードを有しているが、以下の説明では、印刷モードおよびスリープモードを中心に説明する。また、以下の説明では、印刷モードにおける印刷動作の全体について簡単に説明するが、特に、プロセス部１０Ｋによる画像形成について説明する。
【００１７】
すなわち、プリンタ１００は、印刷モードにおける印刷動作時、感光体２に対し、帯電器３によって帯電した後、露光器６によって露光する。それにより、感光体２の表面に、画像データに基づく静電潜像を形成する。さらに、プリンタ１００は、静電潜像を現像器４にて現像することによって、トナー像を形成する。
【００１８】
また、プリンタ１００は、給紙トレイ９１に収納されているシートを１枚ずつ引き出し、転写ベルト７へ搬送する。転写ベルト７は、感光体２との接触位置の内側に転写ローラ５を備え、シートが感光体２と転写ローラ５との間を通過する際に、感光体２上のトナー像をシートへ転写する。さらに、プリンタ１００は、シートが熱定着器８の加熱ローラ８１と加圧ローラ８４との間を通過する際に、シートに載置されたトナー像を、熱定着器８の加熱ローラ８１によって加熱することによりシートに熱定着させる。これによって画像が形成されたシートは、排紙トレイ９２に排出される。
【００１９】
なお、カラー印刷を実行する場合、プリンタ１００は、他色のプロセス部１０Ｙ、１０Ｍ、１０Ｃにてそれぞれの色のトナー像を形成し、順次シートに転写する。これにより、シート上で各色のトナー像を重ね合わせる。そして、重ね合わされたトナー像をシートに定着させることにより、カラー画像が形成される。
【００２０】
図２は、プリンタの電気的構成を示すブロック図であり、続いて、プリンタ１００の電気的構成について、図２を参照しながら説明する。
すなわち、プリンタ１００は、ＣＰＵ３１と、ＲＯＭ３２と、ＲＡＭ３３と、ＮＶＲＡＭ（不揮発性ＲＡＭ）３４とを含むコントローラ３０を備えている。また、プリンタ１００は、ＤＣ２４Ｖ負荷の一例としてのモータ１１と、操作パネル３５と、ネットワークインターフェース３６と、ＵＳＢインターフェース３７と、熱定着器８とを備え、これらがコントローラ３０に電気的に接続されている。なお、モータ１１は、感光体２や現像器４などを駆動するためのメインモータであっても良いし、露光器６が備えるポリゴンモータであっても良いし、加熱ローラ８１を駆動する駆動モータであっても良く、また、それら複数の組み合わせであっても良い。
【００２１】
さらに、プリンタ１００は、コントローラ３０に電気的に接続されている電源部４０を備え、印刷モード時には、電源部４０はコントローラ３０と、モータ１１と、熱定着器８の定着用ヒータ８２とに電力を供給可能なように接続されている。
【００２２】
ＲＯＭ３２には、プリンタ１００を制御するための各種制御プログラムや各種設定、初期値等が記憶されている。ＲＡＭ３３は、各種制御プログラムが読み出される作業領域として、あるいは、データを一時的に記憶する記憶領域として利用される。ＣＰＵ３１は、ＲＯＭ３２から読み出した制御プログラムに従って、その処理結果をＲＡＭ３３またはＮＶＲＡＭ３４に記憶させながら、プリンタ１００の各構成要素を制御する。なお、ＲＡＭ３３またはＮＶＲＡＭ３４によって記憶部が構成される。
【００２３】
ＣＰＵ３１は、制御部の一例である。コントローラ３０が制御部の一例であってもよい。なお、図２中のコントローラ３０は、ＣＰＵ３１等、プリンタ１００の制御に利用されるハードウェアを纏めた総称である。具体的には、コントローラ３０は、ＡＳＩＣ（Application Specific Integrated Circuit）等も含み、したがって、ＡＳＩＣがコントローラ３０の一部の機能を担っていてもよく、また、コントローラ３０の一部の機能を論理回路が担っていてもよい。
【００２４】
ネットワークインターフェース３６は、ネットワークを介して接続された上位装置と通信を行うためのハードウェアである。ＵＳＢインターフェース３７は、ＵＳＢ規格に基づいて接続された装置と通信を行うためのハードウェアである。操作パネル３５は、ユーザに対する報知の表示と、ユーザによる指示入力の受け付けとを担うハードウェアである。
【００２５】
図３は、電源部の電気的構成を示す回路図であり、続いて、図３を参照して電源部４０の電気的構成について説明する。
図において、電源部４０の電源入力部を構成するところの第１の入力端子４１には、外部電源４１１から、例えば交流の１００Ｖの電力が供給される。外部電源４１１の電圧は、１００Ｖに限定されるものではなく、例えば、２００Ｖであっても良い。なお、外部電源４１１は、プリンタ１００の外部の商用交流電源であっても良いし自家発電機による電源であっても差し支えない。
【００２６】
第１の入力端子４１には、第１のラインＬ１および第２のラインＬ２を介してノイズフィルタ６０の入力端子が接続されている。ノイズフィルタ６０は、ノイズフィルタ６０より後段からのノイズを除去するものである。
【００２７】
ノイズフィルタ６０の出力端子には、ＡＣ／ＤＣコンバータ４３が接続されている。ＡＣ／ＤＣコンバータ４３は、ノイズフィルタ６０の出力端子に接続されたダイオードブリッジから成る整流回路４２と、整流回路４２の出力端子間に接続され、整流回路４２の出力電流を平滑化する平滑コンデンサ４３１と、整流回路４２の出力端子間にスイッチング素子４３３を介して一次巻線が接続されたトランス４３２と、整流平滑回路４４とから構成されている。
【００２８】
したがって、第１の入力端子４１から供給され、ノイズフィルタ６０の出力端子から出力される交流電力は、整流回路４２によって全波整流された後、平滑コンデンサ４３１によって平滑化される。なお、平滑コンデンサ４３１が本発明のコンデンサの一例であり、また、ＡＣ／ＤＣコンバータ４３が本発明のコンバータの一例である。また、平滑コンデンサ４３１は、並列に接続された複数のコンデンサにより構成されていても差し支えない。
【００２９】
トランス４３２の二次巻線に接続された整流平滑回路４４は、整流素子４４１と平滑コンデンサ４４２とを備え、トランス４３２の二次巻線から出力される電力を整流素子４４１によって整流した後、平滑コンデンサ４４２によって平滑して出力する。整流平滑回路４４から出力される例えば、ＤＣ２４Ｖの電力は、第１の出力端子４５を介してモータ１１に代表されるＤＣ２４Ｖの負荷に電力が供給される。
【００３０】
また、第１の出力端子４５には、第２の入力端子５２を介してＤＣ／ＤＣコンバータ４６が接続され、したがって、第１の出力端子４５から出力されるＤＣ２４Ｖの電力は、ＤＣ／ＤＣコンバータ４６に供給される。ＤＣ／ＤＣコンバータ４６は、２４Ｖの電力を３．３Ｖに変換するものであり、ＤＣ／ＤＣコンバータ４６から出力される電力は、コントローラ３０などに供給される。
【００３１】
整流平滑回路４４の出力側と第１の出力端子４５との間には、シャントレギュレータ６１が接続されている。したがって、整流平滑回路４４の出力電圧は、シャントレギュレータ６１によって検知および誤差増幅され、フォトカプラ６２を介して電源制御ＩＣ６３にフィードバックされる。
【００３２】
電源制御ＩＣ６３は、ＡＣ／ＤＣコンバータ４３のスイッチング素子４３３をスイッチング制御するためのものである。
【００３３】
第１のラインＬ１上に設けられた第１の分岐点Ｐ１には、第３のラインＬ３の一端側が接続され、さらに、第３のラインＬ３の他端側は、電磁リレー４９を介して定着用ヒータ８２の一方の端子に接続されている。なお、電磁リレー４９が本発明のリレー部材の一例である。
【００３４】
また、第２のラインＬ２上に設けられた第２の分岐点Ｐ２には、第４のラインＬ４の一端側が接続され、さらに、第４のラインＬ４の他端側は、例えば、トライアック素子から構成されたスイッチング素子５０を介して定着用ヒータ８２の他方の端子に接続されている。なお、スイッチング素子５０が本発明のスイッチング素子の一例である。
【００３５】
スイッチング素子５０は、フォトトライアックカプラ５１を介してのコントローラ３０からのヒータ制御信号により通電タイミングが制御される。スイッチング素子５０は、コントローラ３０から継続してオン信号を受ける場合は次に到来するゼロクロスタイミングでも通電状態を継続し、コントローラ３０からオン信号が継続して受けない場合は、次に到来する外部電源４１１から入力される電圧のゼロクロスタイミングで非通電状態となる。なお、外部電源４１１から入力される電圧のゼロクロスタイミングは、第１の入力端子４１から入力される外部電源４１１の電圧値がゼロボルトを通過するタイミングの一例である。
【００３６】
なお、本実施形態では、第３のラインＬ３上に電磁リレー４９を、また、第４のラインＬ４上にスイッチング素子５０をそれぞれ配置したが、第３のラインＬ３もしくは第４のラインＬ４上に、電磁リレー４９とスイッチング素子５０とが直列接続された状態で配置されても良い。そして、第１の分岐点Ｐ１および第２の分岐点Ｐ２が本発明の分岐点の一例である。
【００３７】
電磁リレー４９は、コントローラ３０からのリレー制御信号によりその接点が開閉制御される。
【００３８】
すなわち、印刷モード時には、電磁リレー４９は、コントローラ３０からのリレー制御信号により接点が閉状態（通電状態）に制御され、また、スリープモード時には、接点が開状態（非通電状態）に制御される。また、印刷モード時に、プリンタ１００のカバーの開閉を検出するスイッチ（図示せず）を介してカバーの開放が検出された場合には、コントローラ３０からのリレー制御信号により通電状態から非通電状態に制御され、装置の安全性が確保される。
【００３９】
フォトトライアックカプラ５１は、コントローラ３０からのヒータ制御信号に基づいてスイッチング素子５０に対して制御信号を出力する。それによって、スイッチング素子５０は、コントローラ３０から継続してオン信号を受ける場合は、次に到来するゼロクロスタイミングでも通電状態を継続し、コントローラ３０からオン信号が継続して受けない場合は、次に到来する外部電源４１１のゼロクロスタイミングで非通電状態となる。
【００４０】
したがって、印刷モード時には、第１のラインＬ１、第１の分岐点Ｐ１、第３のラインＬ３、電磁リレー４９、スイッチング素子５０、第４のラインＬ４、第２の分岐点Ｐ２および第２のラインＬ２を介して外部電源４１１から定着用ヒータ８２に電力が供給され、それによって加熱ローラ８１が加熱される。また、電磁リレー４９またはスイッチング素子５０が非通電状態になると、定着用ヒータ８２に電力が供給されることはない。
【００４１】
第１のラインＬ１上の第１の入力端子４１と第１の分岐点Ｐ１との間には、例えば、ホール素子を用いたホール式の電流センサ５５が配置されており、第１のラインＬ１上を流れる交流電流の電流値を測定可能である。具体的には、電流センサ５５は、外部電源４１１から供給される電力の交流周期の半分よりも十分に細かく、且つ、一つのコンデンサインプット電流が発生する時間幅よりも十分に細かいサンプリング周期で電流値を測定可能である。また、測定された電流値は、電流センサ信号として第２の出力端子４７および第３の入力端子４８を介してリアルタイムでコントローラ３０に出力される。なお、電流センサ５５が本発明の電流センサの一例である。
【００４２】
電流センサとしては、第１のラインＬ１上を流れる交流電流の電流値の絶対値を測定することが可能な電流センサ５５に替えて、交流電流の、電流値ゼロに対して相対的な相対値である電流量が測定可能な比較型電流センサを用いることも可能であり、電流値や相対的な電流量が本発明の電流量の一例である。また、電流センサ５５は、第２のラインＬ２上の第１の入力端子４１と第２の分岐点Ｐ２との間に配置しても差し支えない。なお、第１のラインＬ１および第２のラインＬ２が本発明の第１ラインの一例である。また、第１ラインおよび第２ラインは、電力を伝達するための電力経路のことを指し、必ずしも機械的に連続的に繋がっていなくてもよい。つまり、電力経路とは、電力を伝達する機能を持っていればよく、スイッチング部材やトランスなどを介して断続的に繋がっているものも含む。
【００４３】
図７に、電流センサ５５によって測定される電流値の波形を示す。印刷モード時では、コントローラ３０などに供給される電力によって平滑コンデンサ４３１が放電してその端子電圧が低下する。その後、外部電源４１１から供給される電力の電圧が上昇に伴って整流回路４２から出力される電圧が上昇して平滑コンデンサ４３１の端子電圧を超えると平滑コンデンサ４３１は急速に充電されることとなる。したがって、電流センサ５５によって測定される電流値は、図７の左側に示すように、時間の経過に伴って間隔をおいた急峻なパルス状の値をとりながら変化する。
【００４４】
なお、ここでの「充電」とは、充電過程および満充電の両方又はいずれかを含み、コンデンサインプットとも言い得る。また、時間の経過に伴った電流値（電流の量）の変化が本発明の電流量特性の一例である。
【００４５】
また、印刷モード時で定着用ヒータ８２に電力が供給されている状態では、平滑コンデンサ４３１への急速な充電電流に加えて定着用ヒータ８２に供給される電力が合成される。
そのため、電流センサ５５によって測定される電流値は、図７の右側に示すように、時間の経過に伴って概ね、正弦波形を描いて変化する。この場合、定着用ヒータ８２に供給される電流値は、平滑コンデンサ４３１の充電電流よりもとても大きいので、図７の右側に示す電流波形では、平滑コンデンサ４３１の充電電流による波形はほとんど見られず、定着用ヒータ８２に供給される電流による波形が見えるだけである。
【００４６】
さらに、スリープモード時では、ＡＣ／ＤＣコンバータ４３から出力された電力は、２４Ｖ負荷には供給されず、コントローラ３０のみに供給され、さらに定着用ヒータ８２には電力が供給されないので、この状況では、コントローラ３０に電力が供給されることにより、生じるコンデンサインプット電流のみが波形として主に見える。
【００４７】
図４は、ヒータ制御に係わる制御手順を示すフローチャートであり、次に、図４を参照して制御の手順を説明する。なお、図４に示す制御は、印刷モード期間中に、所定時間間隔をおいてコントローラ３０によって実行される。
【００４８】
すなわち、まず、コントローラ３０は、ステップ１（以下、Ｓ１と称する）において、上位機器からの印字データに基づく印刷が継続中か否かを判断し、印刷が継続中でなければ（Ｓ１：ＮＯ）、本処理は終了する。
【００４９】
一方、印刷が継続中であれば（Ｓ１：ＹＥＳ）、コントローラ３０は、Ｓ２において、温度センサ８３の検出温度値と基準温度値とを比較する。そして、Ｓ３において、Ｓ２の比較において温度センサ８３の検出温度値が基準温度値を上回っておれば、定着用ヒータ８２への電力供給が必要ないと判断して（Ｓ３：ＮＯ）、Ｓ１に戻る。
【００５０】
また、Ｓ２の比較において温度センサ８３の検出温度値が基準温度値を下回っていれば、コントローラ３０は、定着用ヒータ８２への電力供給が必要と判断して（Ｓ３：ＹＥＳ）、Ｓ４に移行する。
【００５１】
次に、Ｓ４において、コントローラ３０は、ＲＡＭ３３またはＮＶＲＡＭ３４に記憶されたエラーフラグに「０」が設定されているか否かを判断し、コントローラ３０が、エラーフラグに「０」が設定されていると判断した場合には、次のＳ５へ移行する。また、コントローラ３０が、エラーフラグが「０」に設定されていない、すなわち、「１」が設定されていると判断した場合には、処理を終了し、定着用ヒータ８２は電力が供給されることがない。
【００５２】
次に、Ｓ５においては、ＣＰＵ３１は、後述する図５に示すＳ１７やＳ２０の処理や後述する図１２に示すＳ６１やＳ６２の処理で更新されたゼロクロスタイミングに基づき、スイッチング素子５０を通電状態に制御し、それによって、定着用ヒータ８２に電力が供給され、その後、Ｓ１に戻る。
【００５３】
このように本実施形態では、加熱ローラ８１の加熱に際し、リアルタイムで更新される最新のゼロクロスタイミングに基づき、すなわち、高精度なゼロクロスタイミングに基づきスイッチング素子５０が通電制御されて定着用ヒータ８２に電力が供給される。そのため、スイッチング素子５０の通電制御に伴って急激な突入電流やノイズが発生する可能性が低い。また、本実施形態では、コントローラ３０は、Ｓ４において、エラーフラグに「０」が設定されている場合（本発明における第１閾値以下の場合）であっても、Ｓ３において、Ｓ２の比較において温度センサ８３の検出温度値が基準温度値を上回っておれば、定着用ヒータ８２への電力供給が必要ないと判断して（Ｓ３：ＮＯ）、スイッチング素子５０を通電状態に制御することはない。つまり、請求項の記載において、コントローラ３０は、第１閾値以下の場合、スイッチング素子５０にオン指令を出力しない場合もあり得る。
【００５４】
図５は、外部電源から入力される電流波形の判断に係わる制御手順を示すフローチャートであり、次に、図５を参照して制御の手順を説明する。なお、図５に示す制御は、プリンタ１００の電源投入時や上位機器からの印字データを受信して印刷モードに移行したときに起動されてコントローラ３０によって実行される。
すなわち、Ｓ１１において、電源制御ＩＣ６３によってスイッチング素子４３３を短時間で繰り返し連続的にオンオフ制御することによってＡＣ／ＤＣコンバータ４３が発振を開始する。それによって、ＣＰＵ３１などに電源部４０から電力が供給されるようになる（Ｓ１２）。
【００５５】
次に、Ｓ１３において、コントローラ３０は、電流センサ５５の出力値、つまり電流値を継続的に取得して、その電流値のピーク値を検出する。コントローラ３０は、急峻なパルス状に変化する平滑コンデンサ４３１への充電電流波形の周期よりも十分に短い周期で充電電流をサンプリングし、そして電流値の絶対値の最も大きい値をピーク値として検出する。
【００５６】
次に、Ｓ１４において、コントローラ３０は、電流センサ５５が検出した電流値のピーク値の絶対値が閾値２よりも大きいか否かを判断する。なお、閾値２が本発明の第２基準量の一例である。
【００５７】
通常、プリンタ１００の電源投入直後やスリープモードから印刷モードに移行した直後は、定着用ヒータ８２に電力が供給されておらず、また、たとえば、外部電源４１１として品質が良い商用電源の場合には、通常そのような商用電源から入力される電圧は、図７に示すように、電圧が正弦波を描いて変化する。したがって、電流センサ５５によって測定される平滑コンデンサ４３１への充電電流のピーク値の絶対値は、図７の左側に示すように、閾値２よりも十分に小さい値をとる。したがって、Ｓ１４において、コントローラ３０は、ピーク値の絶対値が閾値２よりも大きくないと判断し（Ｓ１４：ＮＯ）、以降の制御において、第１の入力端子４１に接続された外部電源４１１は、正常な外部電源４１１と判断して制御する。
【００５８】
なお、本実施形態では、Ｓ１４において、電流センサ５５が検出した電流値のピーク値が閾値２よりも大きいか否かを判断していたが、所定時間亘って継続的に取得した電流値と閾値２とを比較し、取得された電流値のうち少なくとも一つが閾値２よりも大きいか否かを判断してもよい。
【００５９】
また、電流センサ５５が検出した電流値を取得する毎に、電流値が閾値２よりも大きいか否かを判断し、閾値２よりも大きい場合には、そのことを示すフラグをＲＡＭ，ＮＶＲＡＭに記憶するようにしてもよい。この場合、Ｓ１４においてピーク値が閾値２よりも大きいか否かを判断する替りに、上記フラグが格納されているか否かを判断する。また、この場合、図５のフローが終了する度にフラグはクリアとなる。
【００６０】
Ｓ１４において、コントローラ３０が、ピーク値の絶対値が閾値２よりも大きくないと判断した場合には（Ｓ１４：ＮＯ）、次に、Ｓ１５において、コントローラ３０は、電流センサ５５の出力値、つまり電流値を継続的に取得する。
【００６１】
次に、Ｓ１６において、コントローラ３０は、取得した電流値に基づいて平滑コンデンサ４３１の充電電流値のピーク検出処理およびゼロクロス検出処理、すなわち、図６に示すサブルーチンを実行する。
【００６２】
図６は、ピーク検出処理およびゼロクロス検出処理の制御手順を示すフローチャートであり、次に図６〜図９を参照してピーク検出処理およびゼロクロス検出処理の詳細を説明する。
すなわち、Ｓ４１において、コントローラ３０は、電流センサ５５の電流値を継続的に取得して取得した電流値に基づいてタイミングＸ１を検出する。このタイミングＸ１は、図８に示すように、電流センサ５５の電流値が閾値−αを下回るタイミングである。
【００６３】
次に、Ｓ４２において、コントローラ３０は、電流センサ５５の電流値を継続的に取得して取得した電流値に基づいてタイミングＸ２を検出する。このタイミングＸ２は、図８に示すように、電流センサ５５の電流値が閾値−αを超えるタイミングである。
【００６４】
次に、Ｓ４３において、コントローラ３０は、検出したタイミングＸ１およびタイミングＸ２に基づいて、図７および図８に示すピークのタイミングＰ１１を算出する。この平滑コンデンサ４３１への充電電流値のピークのタイミングＰ１１は、下記の式を演算することによって検出することができる。なお、タイミングＰ１１が、本発明の第１タイミングの一例である。
Ｐ１１＝Ｘ１＋（Ｘ２−Ｘ１）／２
【００６５】
次に、Ｓ４４において、コントローラ３０は、電流センサ５５の電流値を継続的に取得して取得した電流値に基づいてタイミングＹ１を検出する。このタイミングＹ１は、図８に示すように、電流センサ５５の電流値が閾値αを超えるタイミングである。
【００６６】
次に、Ｓ４５において、コントローラ３０は、電流センサ５５の電流値を継続的に取得して取得した電流値に基づいてタイミングＹ２を検出する。このタイミングＹ２は、図８に示すように、電流センサ５５の電流値が閾値αを下回るタイミングである。
【００６７】
次に、Ｓ４６において、コントローラ３０は、タイミングＹ１およびタイミングＹ２に基づいて、図７および図８に示す充電電流値のピークのタイミングＰ１２を算出する。この平滑コンデンサ４３１への充電電流値のピークのタイミングＰ１２は、下記の式を演算することによって検出することができる。なお、タイミングＰ１２が、本発明の第２タイミングの一例である。
Ｐ１２＝Ｙ１＋（Ｙ２−Ｙ１）／２
【００６８】
次に、Ｓ４７において、コントローラ３０は、充電電流値のピークのタイミングＰ１１および充電電流値のピークのタイミングＰ１２に基づいて、図７および図８に示すゼロクロス点Ｚ１を算出する。このゼロクロス点Ｚ１は、下記の式を演算することによって検出することができる。
Ｚ１＝Ｐ１１＋（Ｐ１２−Ｐ１１）／２
【００６９】
このようにして、ゼロクロス点（例えば、図７および図８においてＺ１で示す）が、時間の経過に伴って変化する電流センサ５５の電流値にもとづいて順次算出によって検出される。ゼロクロス点Ｚ１は、経過時間情報（タイムスタンプ）としてＲＡＭ３３またはＮＶＲＡＭ３４に記憶される。なお、ゼロクロス点Ｚ１は、ゼロクロスタイミングの一例であり、また、ゼロクロスタイミングは、前回検出されたゼロクロスタイミングと次（今回）に検出されるゼロクロスタイミングとの時間差としてＲＡＭ３３またはＮＶＲＡＭ３４に記憶しても差し支えない。
【００７０】
以上、図６に示すサブルーチンの説明を終了して、次に図５に示す外部電源から入力される電流波形の判断に係わる制御手順の説明に戻る。
すなわち、Ｓ１７において、コントローラ３０は、Ｓ１６において検出されたゼロクロス点Ｚ１、すなわち、ゼロクロスタイミングを更新し、ＲＡＭ３３またはＮＶＲＡＭ３４に記憶し、次のＳ１８へ移行する。
【００７１】
一方、Ｓ１４において、コントローラ３０が、電流センサ５５が検出した電流値のピーク値の絶対値が閾値２よりも大きいと判断した場合には、次のＳ１９において、コントローラ３０は、電流値のピーク値の絶対値が閾値１よりも大きいか否かを判断する。なお、閾値１は、図７に示すように、閾値２よりも大きな値をとる。なお、閾値１が本発明の第１基準量の一例である。また、閾値１が本発明の変化量基準量の一例である。
【００７２】
なお、本実施形態では、Ｓ１９において、電流センサ５５が検出した電流値のピーク値が閾値１よりも大きいか否かを判断していたが、所定時間亘って継続的に取得した電流値と閾値１とを比較し、取得された電流値のうち少なくとも一つが閾値１よりも大きいか否かを判断してもよい。
【００７３】
また、電流センサ５５が検出した電流値を取得する毎に、電流値が閾値１よりも大きいか否かを判断し、閾値１よりも大きい場合には、そのことを示すフラグをＲＡＭ，ＮＶＲＡＭに記憶するようにしてもよい。この場合、Ｓ１９においてピーク値が閾値１よりも大きいか否かを判断する替りに、上記フラグが格納されているか否かを判断する。また、この場合、図５のフローが終了する度にフラグはクリアとなる。
【００７４】
そして、Ｓ１９において、コントローラ３０が、電流センサ５５が検出した電流値のピーク値の絶対値が閾値１よりも大きくないと判断した場合には（Ｓ１９：ＮＯ）、Ｓ２０において、コントローラ３０は、例えば、平滑コンデンサ４３１の充電電流値のピークのタイミング（例えば、図９においてＰ１６、Ｐ１７で示す）をゼロクロス点として設定し、ＲＡＭ３３またはＮＶＲＡＭ３４に記憶し、次のステップ１８へ移行する。
【００７５】
この場合についてさらに具体的に説明すると、たとえば、外部電源４１１として、電力事情が悪い地域の商用電源を用いた場合や、或いは、自家発電機の出力や電圧変更用のコンバータの出力を用いた場合には、通常そのような外部電源４１１の電圧は、図９の左側に示すように、立上がり時間（例えば、図９においてｎで示す）が比較的長い矩形波を描いて変化する場合も多い。したがって、電流センサ５５からは、時間の経過に伴って間隔をおいた急峻なインパルス状に変化する平滑コンデンサ４３１への充電電流値が得られる。
【００７６】
この場合には、平滑コンデンサ４３１への充電は、電源電圧の立上がり時の短時間に行われるので、充電電流のピークの絶対値は、閾値２を越え、しかし閾値１は越えることがない。したがって、コントローラ３０は、「Ｓ１４」において「ＹＥＳ」と判断し、次のＳ１９において「ＮＯ」と判断して、以降の制御において、外部電源４１１の電圧が、立上がり時間（例えば、図９においてｎで示す）が比較的長い矩形波を描いて変化する準正常な外部電源４１１と判断して制御する。
【００７７】
つまり、Ｓ２０において、コントローラ３０は、例えば、平滑コンデンサ４３１の充電電流値のピークのタイミング（例えば、図９においてＰ１６、Ｐ１７で示す）をゼロクロス点として設定し、ＲＡＭ３３またはＮＶＲＡＭ３４に記憶する。この際、ゼロクロス点は、経過時間情報（タイムスタンプ）としてＲＡＭ３３またはＮＶＲＡＭ３４に記憶される。
【００７８】
なお、この場合において、図９に示すように、電流センサ５５が検出した電流値のピーク値の絶対値が所定量、例えば、閾値２を下回る所定値を超えるタイミングをゼロクロス点として設定し、ＲＡＭ３３またはＮＶＲＡＭ３４に記憶するようにしても差し支えない。なお、この場合の所定値が本発明の所定量の一例である。また、本発明でいうところの所定量は、ノイズの影響を受けずにコンデンサインプットを検出できる、適度に大きな量であり、閾値１や閾値２と異なる量であってもよい。
【００７９】
また、この場合において、所定値を下回るタイミングをゼロクロス点として設定しても良いし、また、所定値を超えるタイミングと、その直後の所定値を下回るタイミングと、の中間のタイミングをゼロクロス点として設定してもよい。さらに、所定値を超えるタイミングに補正値を加算したものを、ゼロクロス点として設定してもよい。
【００８０】
次に、Ｓ１８において、コントローラ３０は、ＲＡＭ３３またはＮＶＲＡＭ３４に記憶されたエラーフラグを「０」に設定し、本処理を終了する。つまり、電源部４０の第１の入力端子４１に接続された外部電源４１１が、正常または準正常な外部電源と判断した場合には、エラーフラグを「０」に設定し、第１の入力端子４１には、正常もしくは準正常な外部電源４１１が接続されていると判断して以降の制御を行う。
【００８１】
一方、Ｓ１９において、コントローラ３０が、電流センサ５５が検出した電流値のピーク値の絶対値が閾値１よりも大きいと判断した場合には（Ｓ１９：ＹＥＳ）、次に、Ｓ２１において、コントローラ３０は、エラーを報知し、ＲＡＭ３３またはＮＶＲＡＭ３４に記憶されたエラーフラグを「１」に設定し、本処理を終了する。なお、エラーの報知は、操作パネル３５上のディスプレイや電源異常ランプを用いて外部電源４１１のエラーを知らせるようにしても良いし、ブザー等でエラー音を発するようにしても差し支えない。
【００８２】
この場合についてさらに具体的に説明と、たとえば、外部電源４１１として、電力事情が悪い地域の商用電源を用いた場合や、或いは、自家発電機の出力や電圧変更用のコンバータの出力を用いた場合の中には、図９の右側に示すように、外部電源４１１の電圧が、立上がり時間（例えば、図９においてで示す、ｎ＞ｍ）が非常に短い矩形波を描いて変化する場合がある。このような電圧がイレギュラーな波形を描く外部電源４１１の場合には、電流センサ５５からは、時間の経過に伴って間隔をおいた非常に急峻なインパルス状に変化する平滑コンデンサ４３１への充電電流値が得られる。
【００８３】
この場合には、平滑コンデンサ４３１への充電は、電源電圧の立上がり時の非常に短時間の間に行われるので、充電電流のピークの絶対値は、閾値２および閾値１を越えることとなる。したがって、コントローラ３０は、Ｓ１４およびＳ１９において「ＹＥＳ」と判断したのち、Ｓ２１において、コントローラ３０は、ＲＡＭ３３またはＮＶＲＡＭ３４に記憶されたエラーフラグを「１」に設定する。
【００８４】
そして、コントローラ３０は、外部電源４１１の電圧が、立上がり時間（例えば、図９においてｍで示す、ｎ＞ｍ）が非常に短い矩形波を描いて変化する、つまり、イレギュラーな波形を描く異常な外部電源４１１が第１の入力端子４１に接続されていると判断して以降の制御を行う。
【００８５】
つまり、外部電源４１１の電圧が、立上がり時間が非常に短い矩形波を描いて変化する場合、通電状態のスイッチング素子５０が、次に到来する外部電源４１１のゼロクロスのタイミングで非通電状態とならずに引き続き通電状態が維持されこととなり、それによって定着用ヒータ８２には電力が供給され続け、正常に定着を行うことができない。したがって、Ｓ２１において、コントローラ３０は、エラーを報知し、ＲＡＭ３３またはＮＶＲＡＭ３４に記憶されたエラーフラグを「１」に設定し、本処理を終了する。
【００８６】
この場合、前述した図４に示すヒータ制御では、Ｓ４において、コントローラ３０は、エラーフラグが「０」に設定されていない、すなわち、「１」が設定されていると判断して、処理を終了する、つまり、Ｓ５が実行されることがないので、定着用ヒータ８２に電力が供給されることがない。
【００８７】
このように本実施形態では、電源投入時やスリープモードから印刷モードに移行した際には、電源部４０の第１の入力端子４１に接続された外部電源４１１の品質を平滑コンデンサ４３１への充電電流の波形に基づいて判断し、外部電源４１１の品質が良い場合には、正常な電源と判断して平滑コンデンサ４３１の充電電流値のピーク（例えば、図７および図８においてＰ１１、Ｐ１２で示す）のタイミングの中間点をゼロクロス点（例えば、図７および図８においてＺ１で示す）として設定する。
【００８８】
また、外部電源４１１の電圧が矩形波を描いて変化する場合には、立ち上がり時間が長い準正常な電源と判断して、例えば、平滑コンデンサ４３１の充電電流値のピークのタイミング（例えば、図９においてＰ１６、Ｐ１７で示す）や充電電流の絶対量が所定値を超えるタイミングをゼロクロス点として設定し、それぞれＲＡＭ３３またはＮＶＲＡＭ３４に記憶するようにしている。それによって、外部電源４１１の品質に応じて、ゼロクロス点を適切に更新することが可能となる。したがって、適切なタイミングでスイッチング素子５０のスイッチングをすることができるので、スイッチング素子５０の通電制御に伴って急激な突入電流やノイズが発生する可能性が低い。
【００８９】
さらに、外部電源４１１の電圧が、立上がり時間が非常に短い矩形波、つまりイレギュラーな波形を描いて変化する場合には、電源部４０の第１の入力端子４１には、異常な外部電源４１１が接続されていると判断してエラーを報知し、また、ＲＡＭ３３またはＮＶＲＡＭ３４に記憶されたエラーフラグを「１」に設定し、それによって、定着用ヒータ８２に電力が供給され続けて定着性能が損なわれることもない。
【００９０】
図１０は、外部電源から入力される電流波形の判断に係わる制御手順を示すフローチャートであり、次に、図１０を参照して制御の手順を説明する。なお、図１０に示す制御は、印刷モード期間中、コントローラ３０によって実行される。
すなわち、Ｓ３１において、コントローラ３０は、電流センサ５５の出力値、つまり、電流値を継続的に取得し、その後、取得した電流値に基づいて平滑コンデンサ４３１の充電電流値のピーク値を検出する（Ｓ３２）。なお、充電電流値のピーク値の検出は、前述した図５に示すＳ１３と同様に行われる。
【００９１】
その後、Ｓ３３において、コントローラ３０は、定着用ヒータ８２が通電中か否かを判断する。そして、通電中でないと判断した場合（Ｓ３３：ＮＯ）、Ｓ３４へ移行して、コントローラ３０は、充電電流値のピーク値の絶対値が閾値１よりも大きいか否かを判断し、コントローラ３０が閾値１よりも大きくないと判断した場合には（Ｓ３４：ＮＯ）、次のＳ３５において、コントローラ３０は、ＲＡＭ３３またはＮＶＲＡＭ３４に記憶されたエラーフラグを「０」に設定して次のＳ３６へ移行する。
【００９２】
これにより、コントローラ３０は、以降の制御において、第１の入力端子４１には正常または準正常な外部電源４１１が接続されていると判断して制御する。
【００９３】
次のＳ３６において、コントローラ３０は、印刷が終了したか否かを判断し、印刷が終了した場合には（Ｓ３６：ＹＥＳ）、本処理を終了する。一方、Ｓ３６において、コントローラ３０が、印刷が終了していないと判断した場合には（Ｓ３６：ＮＯ）、Ｓ３１に戻る。
【００９４】
一方、Ｓ３４において、コントローラ３０が充電電流値のピーク値の絶対値が閾値１よりも大きいと判断した場合には（Ｓ３４：ＹＥＳ）、Ｓ３８へ移行してコントローラ３０は、エラーを報知し、ＲＡＭ３３またはＮＶＲＡＭ３４に記憶されたエラーフラグを「１」に設定し、本処理を終了する。
【００９５】
具体的には、電源部４０の第１の入力端子４１に接続された外部電源４１１の電圧が、立上がり時間（例えば、図９においてｍで示す、ｎ＞ｍ）が非常に短い矩形波を描いて変化する場合には、平滑コンデンサ４３１の充電電流のピーク値の絶対値が、図９の右側に示すように、閾値１を超えて変化する。この場合には、Ｓ３８において、コントローラ３０は、エラーを報知し、ＲＡＭ３３またはＮＶＲＡＭ３４に記憶されたエラーフラグを「１」に設定する。
【００９６】
これにより、コントローラ３０は、以降の制御において、第１の入力端子４１には異常な外部電源４１１が接続されていると判断して制御する。
【００９７】
一方、Ｓ３３において、コントローラ３０が、定着用ヒータ８２が通電中と判断した場合には（Ｓ３３：ＹＥＳ）、次のＳ３７に移行して、コントローラ３０は、充電電流のピーク値の絶対値が閾値３よりも大きいか否かを判断する。そして、Ｓ３７において、コントローラ３０が、充電電流のピーク値が閾値３よりも大きくないと判断した場合には（Ｓ３７：ＮＯ）、次のＳ３９において、コントローラ３０は、ＲＡＭ３３またはＮＶＲＡＭ３４に記憶されたエラーフラグを「０」に設定する。なお、閾値３は、閾値１に比べて定着用ヒータ８２の通電電流分（図７にＩｈで示す）だけかさ上げした値をとる。
【００９８】
これにより、コントローラ３０は、以降の制御において、第１の入力端子４１には正常または準正常な外部電源４１１が接続されていると判断して制御する。
【００９９】
なお、本実施形態では、Ｓ３７において、電流センサ５５が検出した電流値のピーク値が閾値３よりも大きいか否かを判断していたが、所定時間亘って継続的に取得した電流値と閾値３とを比較し、取得された電流値のうち少なくとも一つが閾値３よりも大きいか否かを判断してもよい。
【０１００】
また、電流センサ５５が検出した電流値を取得する毎に、電流値が閾値３よりも大きいか否かを判断し、閾値３よりも大きい場合には、そのことを示すフラグをＲＡＭ，ＮＶＲＡＭに記憶するようにしてもよい。この場合、Ｓ３７においてピーク値が閾値３よりも大きいか否かを判断する替りに、上記フラグが格納されているか否かを判断する。また、この場合、図１０のフローが終了する度にフラグはクリアとなる。
【０１０１】
次に、Ｓ４０において、コントローラ３０は、印刷が終了したか否かを判断し、印刷が終了した場合には（Ｓ４０：ＹＥＳ）、本処理を終了する。一方、Ｓ４０において、コントローラ３０が、印刷が終了していないと判断した場合には（Ｓ４０：ＮＯ）、Ｓ３１に戻る。
【０１０２】
一方、Ｓ３７において、コントローラ３０が、充電電流のピーク値の絶対値が閾値３よりも大きいと判断した場合には（Ｓ３７：ＹＥＳ）、次のＳ３８へ移行してコントローラ３０は、エラーを報知し、ＲＡＭ３３またはＮＶＲＡＭ３４に記憶されたエラーフラグを「１」に設定した後、本処理を終了する。
【０１０３】
これにより、コントローラ３０は、以降の制御において、第１の入力端子４１には異常な外部電源４１１が接続されていると判断して制御する。
【０１０４】
具体的には、電源部４０の第１の入力端子４１に接続された外部電源４１１の電圧が、立上がり時間（例えば、図９においてｍで示す、ｎ＞ｍ）が非常に短い矩形波を描いて変化する場合には、定着用ヒータ８２への通電電流Ｉｈ＋平滑コンデンサ４３１の充電電流のピーク値の絶対値が、図９の右側に示すように、閾値３を超えて変化するので、この場合には、Ｓ２８において、コントローラ３０は、エラーを報知し、ＲＡＭ３３またはＮＶＲＡＭ３４に記憶されたエラーフラグを「１」に設定する。
【０１０５】
このように本実施形態においては、印刷モード期間中に、電源部４０の第１の入力端子４１に接続された外部電源４１１が異常の状態もしくは、異常な状態に変化した際、すなわち、平滑コンデンサ４３１の充電電流値のピーク値の絶対値が、定着用ヒータ８２が非通電の場合には閾値１を超えたとき（充電電流波形が、例えば、図９の右側に示す波形の場合）、エラーを報知するとともにエラーフラグを「１」に設定している。
【０１０６】
また、定着用ヒータ８２が通電の場合には、閾値３を超えたとき（充電電流波形が、例えば、図９の右側に示す波形の場合）、エラーを報知するとともにエラーフラグを「１」に設定している。それによって、コントローラ３０は、スイッチング素子５０へのヒータ制御信号の出力を停止して定着用ヒータ８２に電力が供給されることがなく、定着用ヒータ８２の定着性能が損なわれることがない。
【０１０７】
また、外部電源４１１が正常もしくは準正常の際、或いは、外部電源４１１が印刷モード中に異常な状況から正常もしくは準正常に変化した際には、エラーフラグに「０」が設定されて定着用ヒータ８２に電力が供給され、通常の印刷が実行される。なお、Ｓ３２の処理が本発明の電流量検出ステップおよび電流量検出処理の一例であり、また、Ｓ３４およびＳ３７の処理が本発明の電流量判断ステップおよび電流量判断処理の一例である。
【０１０８】
図１２は、ゼロクロス検出に係わる処理の制御手順を示すフローチャートであり、次に、図１２を参照して制御の手順を説明する。なお、図１２に示す制御は、印字モード期間中、コントローラ３０によって実行される。
すなわち、Ｓ５１において、コントローラ３０は、ＲＡＭ３３またはＮＶＲＡＭ３４に記憶されたエラーフラグに「０」が設定されているか否かを判断する。そして、コントローラ３０が、エラーフラグに「０」が設定されていると判断した場合には（Ｓ５１：ＹＥＳ）、次のＳ５２へ移行する。また、コントローラ３０が、エラーフラグが「０」に設定されていない、すなわち、「１」が設定されていると判断した場合には（Ｓ５１：ＮＯ）、処理を終了し、電磁リレー４９の接点が閉じられることはない。つまり、定着用ヒータ８２に電力が供給されることはない。
【０１０９】
次に、Ｓ５２において、コントローラ３０は、ＲＡＭ３３またはＮＶＲＡＭ３４に記憶されたゼロクロス点に基づいて、電磁リレー４９の接点を閉じて通電状態に制御し、次のＳ５３へ移行する。このように本実施形態では、ＲＡＭ３３またはＮＶＲＡＭ３４に記憶されたゼロクロス点に基づいて電磁リレー４９を制御するようにしているので、その際に電磁リレー４９やスイッチング素子４３３においてノイズが発生する可能性が低く、また、電磁リレー４９の接点の電気的負担も少なくなり、電磁リレー４９の寿命への影響が低い。
【０１１０】
次に、Ｓ５３において、コントローラ３０は、電流センサ５５の出力値、つまり、電流値を継続的に取得し、その後、取得した電流値に基づいて平滑コンデンサ４３１の充電電流値のピーク値を検出する（Ｓ５４）。なお、充電電流値のピーク値を検出は、前述した図５に示すＳ１３と同様に行われる。
【０１１１】
次に、Ｓ５５において、コントローラ３０は、定着用ヒータ８２が通電中か否かを判断する。そして、通電中でないと判断した場合（Ｓ５５：ＮＯ）、Ｓ５６へ移行して、コントローラ３０は、充電電流のピーク値の絶対値が閾値２よりも大きいか否かを判断する。
【０１１２】
Ｓ５６において、コントローラ３０が、充電電流のピーク値の絶対値が閾値２よりも大きくないと判断した場合には（Ｓ５６：ＮＯ）には、次のＳ５７において、コントローラ３０は、検出された急峻なパルス状の平滑コンデンサ４３１への充電電流のピークが所定個数Ａよりも多く連続して検出されたか否かを判断する。そして、所定個数Ａ以下の場合には（Ｓ５７：ＮＯ）、次のＳ６０へ移行する。
【０１１３】
なお、Ｓ５７の判断は、ＲＡＭ３３またはＮＶＲＡＭ３４に記憶された後述する時間情報の数や、前回検出されたゼロクロスタイミングと次（今回）に検出されるゼロクロスタイミングとの時間差情報の数に基づいて判断される。また、所定個数のＡとしては、３〜１０の数字が設定される。
【０１１４】
一方、Ｓ５７において、コントローラ３０が、所定個数Ａよりも多く連続して検出されたと判断した場合には（Ｓ５７：ＹＥＳ）、次のＳ５９において、コントローラ３０は、前述した図６に示すサブルーチンを実行した後、Ｓ６１へ移行する。
【０１１５】
次の、Ｓ６１においては、コントローラ３０は、Ｓ５９を実行することにより算出された最新のゼロクロス点（例えば、図７においてＺ１で示す）をＲＡＭ３３またはＮＶＲＡＭ３４に記憶されたゼロクロス点に代えて記憶することによって最新のゼロクロス点に順次更新し、次のＳ６０へ移行する。このように、定着用ヒータ８２が非通電中には、Ｓ５３〜Ｓ５７、Ｓ５９、Ｓ６１が順次実行され、それによって、ＲＡＭ３３またはＮＶＲＡＭ３４に記憶されたゼロクロス点が最新のものに順次更新される。
【０１１６】
このように本実施形態では、平滑コンデンサ４３１への充電電流のピークが所定個数Ａよりも多く連続して検出されている場合にゼロクロス点を設定するようにしているため、精度良くゼロクロス点を設定することができる。また、非通電時には、平滑コンデンサ４３１への充電電流のピーク（例えば、図７および図８においてＰ１１、Ｐ１２で示す）を検出してその中間を算出することによってゼロクロス点（例えば、図７および図８においてＺ１で示す）を検出しているため、精度良くゼロクロス点を検出することができ、また、順次最新のゼロクロス点に更新され、それによって、定着用ヒータ８２の通電制御時の突入電流や発生するノイズを低減することができる。
【０１１７】
一方、Ｓ５６において、コントローラ３０が、平滑コンデンサ４３１への充電電流のピーク値の絶対値が閾値１よりも大きいと判断した場合には（Ｓ５６：ＹＥＳ）、Ｓ６２へ移行する。そしてＳ６２において、コントローラ３０は、例えば、平滑コンデンサ４３１の充電電流値のピークのタイミング（例えば、図９においてＰ１６およびＰ１７で示す）や所定量を超えるタイミングをゼロクロス点として設定し、ＲＡＭ３３またはＮＶＲＡＭ３４に記憶されたゼロクロス点を更新した後、次のＳ６０へ移行する。
【０１１８】
この際、ゼロクロス点は、経過時間情報（タイムスタンプ）としてＲＡＭ３３またはＮＶＲＡＭ３４に記憶される。このように、電源部４０の第１の入力端子４１に準正常な外部電源４１１が接続され、且つ、定着用ヒータ８２が非通電中の場合には、Ｓ５３〜Ｓ５６、Ｓ６２が順次実行され、それによって、ＲＡＭ３３またはＮＶＲＡＭ３４に記憶されたゼロクロス点が順次更新される。
【０１１９】
一方、Ｓ５５において、コントローラ３０が、定着用ヒータ８２について通電中と判断した場合（Ｓ５５：ＹＥＳ）、Ｓ６４へ移行する。
【０１２０】
そして、Ｓ６４において、コントローラ３０は、電流センサ５５の電流値を継続的に取得して、取得した電流値の値がゼロになったタイミングに基づいてゼロクロス点（例えば、図７においてＰ１３および図１１でＰ１８で示す）を検出した後、ＲＡＭ３３またはＮＶＲＡＭ３４に記憶されたゼロクロス点を更新して、次のＳ６０へ移行する。
【０１２１】
次に、Ｓ６０において、コントローラ３０は、印刷が終了したか否かを判断し、コントローラ３０が、印刷が終了したと判断した場合には（Ｓ６０：ＹＥＳ）、本処理を終了する。また、コントローラ３０が、印刷が終了していないと判断した場合には（Ｓ６０：ＮＯ）、Ｓ５３へ戻って上記処理を繰り返す。
【０１２２】
このように、電源部４０の第１の入力端子４１に正常な外部電源４１１が接続され、且つ、定着用ヒータ８２が通電中の場合には、Ｓ５３〜Ｓ５５、Ｓ６４が順次実行され、ゼロクロス点が順次更新される。この際、ゼロクロス点は、経過時間情報（タイムスタンプ）としてＲＡＭ３３またはＮＶＲＡＭ３４に記憶される。
【０１２３】
このように本実施形態では、電源部４０の第１の入力端子４１に接続された外部電源４１１が正常で定着用ヒータ８２が通電中の場合および非通電中の場合、また電源部４０の第１の入力端子４１に接続された外部電源４１１が準正常で定着用ヒータ８２が通電中の場合および非通電中の場合の各状況に応じて精度良くゼロクロス点を更新することができる。
さらに、印刷モード期間中に電源部４０の第１の入力端子４１に接続された外部電源４１１の品質状況が変化しても品質状況変化に応じて精度良くゼロクロス点を更新することができ、それによって、定着用ヒータ８２の通電制御時の突入電流や発生するノイズを低減することができる。
【０１２４】
（実施形態２）
本実施形態では、電流センサ５５によって測定される平滑コンデンサ４３１への充電電流の単位時間当たりの変化量、すなわち、微分値と、所定量（閾値）Ｙとを用いることによって、充電電流値のピークのタイミングＰ１１および充電電流値のピークのタイミングＰ１２を求めるようにした。
【０１２５】
すなわち、実施形態１においては、電流センサで測定される電流値のピーク検出に際して、図６に示すＳ４１、Ｓ４２、Ｓ４４およびＳ４５において図８に示すタイミングＸ１、タイミングＸ２、タイミングＹ１およびタイミングＹ２を求めた後、Ｓ４３およびＳ４６において、それらタイミングＸ１、タイミングＸ２、タイミングＹ１およびタイミングＹ２に基づいて充電電流値のピークのタイミングＰ１１および充電電流値のピークのタイミングＰ１２を求めた。
【０１２６】
しかし、本実施形態では、実施形態１のように、図６に示すＳ４１、Ｓ４２、Ｓ４４およびＳ４５を実行することなく、つまり、図８に示すタイミングＸ１、タイミングＸ２、タイミングＹ１およびタイミングＹ２を求めることなく、図８に示すように、電流センサ５５によって測定される平滑コンデンサ４３１への充電電流の単位時間当たりの変化量、すなわち、微分値と、所定量（閾値）Ｙとを用いることによって、充電電流値のピークのタイミングＰ１１および充電電流値のピークのタイミングＰ１２を求めるようにした。
【０１２７】
すなわち、本実施形態では、コントローラ３０は、電流センサ５５によって測定される平滑コンデンサ４３１への充電電流値の単位時間当たりの変化量、すなわち、微分値の絶対値が、ゼロから立ち上がって初めて所定量（閾値）Ｙを越えた後、ゼロになったタイミング、すなわち、充電電流値の微分値の正負が切り替わるタイミングを充電電流値のピークのタイミングＰ１１として検出する。
【０１２８】
次に、コントローラ３０は、次の充電電流値の単位時間当たりの変化量、すなわち、微分値の絶対値が、ゼロから立ち上がって初めて所定量（閾値）Ｙを越えた後、ゼロになったタイミング、すなわち、充電電流値の微分値の正負が切り替わるタイミングを充電電流値のピークのタイミングＰ１２と検出する。
【０１２９】
次に、コントローラ３０は、充電電流値のピークのタイミングＰ１１および充電電流値のピークのタイミングＰ１２に基づいて、図７および図８に示すゼロクロス点Ｚ１を算出する。
【０１３０】
このように本実施形態では、平滑コンデンサ４３１への充電電流の単位時間当たりの変化量、すなわち、微分値を用い、また、平滑コンデンサ４３１への充電電流値の微分値の絶対値が、所定量（閾値）Ｙを越えた後、ゼロになったタイミング、すなわち、充電電流値の微分値の正負が切り替わるタイミングを充電電流値のピークのタイミング（Ｐ１１、Ｐ１２）として検出しているため、ゼロクロス点を正確に検出することが可能となる。
【０１３１】
なお、本実施形態では、所定量（閾値）Ｙのみを用いたが、所定量（閾値）Ｙと所定量（閾値）−Ｙとを用い、電流センサ５５の電流値の微分値が、ゼロから立ち上がって初めて閾値Ｙに到達（通過）してから２回目の閾値−Ｙに到達（通過）までの間、または、閾値−Ｙに到達（通過）してから閾値Ｙに到達（通過）までの間において、電流センサ５５の電流値の微分値がゼロになったタイミング、すなわち、充電電流値の微分値の正負が切り替わるタイミングを充電電流値のピークのタイミング（Ｐ１１、Ｐ１２）として検出するようにしても差し支えない。
【０１３２】
また、本実施形態の電流センサ５５の電流値の単位時間当たりの変化量、つまり電流値の微分値は、実施形態１におけるピーク値の検出にも用いることができる。すなわち、実施形態１における図５に示すＳ１３、図１０に示すＳ３２、図１２に示すＳ５４においては、急峻なパルス状に変化する平滑コンデンサ４３１への充電電流波形の周期よりも十分に短い周期で充電電流をサンプリングし、そして電流値の絶対値の最も大きい値をピーク値として検出するようにしているが、充電電流値の単位時間当たりの変化量、すなわち、微分値がゼロ、もしくは、符号が正から負もしくは負から正に変わるタイミングの電流値を充電電流のピーク値として検出することも可能である。
【０１３３】
（実施形態３）
図１３は、実施形態３に係わる外部電源から入力される電流波形の判断に係わる制御手順を示すフローチャートであり、次に、図１３を参照して制御の手順を説明する。なお、図１３に示す制御は、前述した実施形態１の図１０に示す制御手順とほぼ同じである。具体的には、コントローラ３０は、図１３に示すＳ３１〜Ｓ３６、Ｓ３８〜Ｓ４０は、実施形態１の図１０に示すＳ３１〜Ｓ３６、Ｓ３８〜Ｓ４０と同じ処理を実行する。したがって、ここでは、実施形態１とは処理が異なるＳ７５を中心に以下に説明する。
【０１３４】
すなわち、電源部４０の第１の入力端子４１に接続された外部電源４１１が、異常な電源の場合、図９の右側に示すように、電圧が、立上がり時間ｍが非常に短い矩形波を描いて変化するので、それに伴って、定着用ヒータ８２への通電中は、図１１の右側に示すように、電流センサ５５の出力値、すなわち、平滑コンデンサ４３１への充電電流波形も上がり時間の非常に短い矩形波となる。したがって、Ｓ７５において、コントローラ３０は、この電流の立上がり時間が非常に短いか否か、つまり、電流の立上がり勾配（角度）Ｆが所定値Ｇ（図１１の右側に示す）よりも大きいか否かを判断し、電流の立上がり勾配Ｆが所定値Ｇよりも大きい場合には（Ｓ７５：ＹＥＳ）、Ｓ３８へ移行してエラー報知などの処理を実行する。
【０１３５】
（実施形態４）
図１４は、実施形態４にかかるプリンタの電気的構成を示す回路図であり、以下に図１４に従ってその詳細を説明する。なお、その説明中、実施形態１と同じ作用効果を奏するものには同じ符号を付して説明する。
【０１３６】
すなわち、本実施形態が実施形態１と異なる点は、電流センサ５５の配置位置であり、本実施形態では、第１のラインＬ１上の、第１の分岐点Ｐ１とノイズフィルタ６０との間に配置されている。したがって、電流センサ５５は、平滑コンデンサ４３１への充電電流値のみが測定可能である。なお、電流センサ５５は、第２のラインＬ２上の、第２の分岐点Ｐ２と整流回路４２との間に配置しても差し支えない。
【０１３７】
また、特に図示はしないが、電流センサ５５は、ノイズフィルタ６０と整流回路４２との間に配置しても差し支えない。
【０１３８】
このように本実施例においては、電流センサ５５は、平滑コンデンサ４３１への充電電流を測定するのみであるため、充電電流の大きさに応じた小型の電流センサ５５を用いることができ、その場合には検出精度を向上させることができる。
【０１３９】
本実施形態の場合のゼロクロス検出は、実施形態１で説明した図１２に示すゼロクロス検出に係わる制御手順が利用できる。ただし、電流センサ５５は、平滑コンデンサ４３１への充電電流値のみが測定可能であるため、定着用ヒータ８２が通電中においても、Ｓ５５の判断において、コントローラ３０は、通電中ではないと判断して（Ｓ５５：ＮＯ）、Ｓ５６へ移行する必要がある。
【０１４０】
また、本実施形態の場合の外部電源の判断の処理は、実施形態１で説明した図１０に示す外部電源の判断に係わる制御手順や実施形態３で説明した図１３に示す外部電源の判断にかかわる制御手順が利用できる。ただし、この場合において、電流センサ５５は、平滑コンデンサ４３１への充電電流値のみが測定可能であるため、定着用ヒータ８２が通電中においても、Ｓ３３の判断において、コントローラ３０は、通電中ではないと判断して（Ｓ３３：ＮＯ）、Ｓ３４やＳ７５へ移行する必要がある。
【０１４１】
なお、本実施の形態は単なる例示にすぎず、本発明を何ら限定するものではない。したがって本発明は当然に、その要旨を逸脱しない範囲内で種々の改良、変形が可能である。例えば、画像形成装置は、プリンタに限らず、コピー機、ＦＡＸ装置、複合機等、電子写真方式によって画像を形成する機能を備えるものであれば適用可能である。また、実施の形態のプリンタ１００は、カラープリンタであり、４つのプロセス部１０Ｋ、１０Ｃ、１０Ｍ、１０Ｙを有しているが、１つのプロセス部を備えるモノクロプリンタであってもよい。
【０１４２】
また、実施形態１においては、定着用ヒータ８２が通電中の場合には、図１２に示すＳ６４において、電流センサ５５の電流値を継続的に取得して、取得した電流値のゼロに基づいてゼロクロス点を設定するようにしたが、電流センサ５５から出力される電流値のピーク値（例えば、図７においてＰ１４、Ｐ１５で示す）を検出し、その中間点をゼロクロス点（たとえば、図７においてＺ３で示す）として設定し、ＲＡＭ３３またはＮＶＲＡＭ３４に記憶されたゼロクロス点を更新するようにしても差し支えない。
【０１４３】
上述の際、ある閾値を設定し、定着用ヒータ８２が通電中の場合には、設定した閾値を超えるところの、電流センサ５５のから出力される電流値のピーク値を用いてゼロクロス点を推定し、また、定着用ヒータ８２が非通電中の場合には、設定した閾値を下回るところの、電流センサ５５から出力される平滑コンデンサ４３１への充電電流のピーク値を用いてゼロクロス点を推定するようにしても差し支えない。このようにすることにより、より精度良くゼロクロス点を推定することができる。
【０１４４】
また、実施形態１においては、定着用ヒータ８２が非通電中の場合には、平滑コンデンサ４３１への充電電流のピークに基づいてゼロクロス点が設定されるように構成したが、定着用ヒータ８２が通電中から非通電中に切替わった初期の状態では、定着用ヒータ８２が通電中に検出設定されたゼロクロス点を用いるようにしても良い。ただし、時間が経過すると、商用電力の実際のゼロクロスタイミングと相違することも生ずるので、所定時間経過後に平滑コンデンサ４３１への充電電流のピークに基づいてゼロクロス点を設定するようにした方が望ましい。
【０１４５】
また、実施形態１〜実施形態２においては、平滑コンデンサ４３１への充電電流のピーク（例えば、図８においてＰ１２で示す）が検出され、隣接する充電電流のピーク（たとえば、図８においてＰ１１で示す）との中間点をゼロクロス点（例えば、図７および図８においてＺ１で示す）として設定するようにしたが、隣接する充電電流のピーク（例えば、図８においてＰ１１で示す）との中間点ではなく、中間点（ゼロクロス点）から補正値によって補正した点をゼロクロスタイミングとして設定するようにしても差し支えない。
【０１４６】
さらに、実施形態１〜実施形態２においては、平滑コンデンサ４３１への充電電流のピーク（例えば、図８においてＰ１２で示す）が検出され、隣接する充電電流のピーク（たとえば、図８においてＰ１１で示す）との中間点をゼロクロス点（例えば、図７および図８においてＺ１で示す）として設定するようにしたが、平滑コンデンサ４３１への充電電流のピーク（例えば、図８においてＰ１２で示す）に補正値ＣＯＲを加算したタイミングと、隣接する充電電流のピーク（たとえば、図８においてＰ１１で示す）に補正値ＣＯＲを加算したタイミングとの中間点をゼロクロスタイミングとして設定するようにしても差し支えない。
【符号の説明】
【０１４７】
１００  プリンタ
６      露光器
８      熱定着器
８１    加熱ローラ
８２    定着用ヒータ
８３    温度センサ
３０    コントローラ
３１    ＣＰＵ
４０    電源部
４１    第１の入力端子
４２    整流回路
４３    ＡＣ／ＤＣコンバータ
４３１  平滑コンデンサ
５０    スイッチング素子
５５    電流センサ
Ｌ１〜Ｌ４    第１〜第４のライン
Ｐ１〜Ｐ２    第１〜第２の分岐点
【図１】
2018173527.tif 000003
【図２】
2018173527.tif 000004
【図３】
2018173527.tif 000005
【図４】
2018173527.tif 000006
【図５】
2018173527.tif 000007
【図６】
2018173527.tif 000008
【図７】
2018173527.tif 000009
【図８】
2018173527.tif 000010
【図９】
2018173527.tif 000011
【図１０】
2018173527.tif 000012
【図１１】
2018173527.tif 000013
【図１２】
2018173527.tif 000014
【図１３】
2018173527.tif 000015
【図１４】
2018173527.tif 000016